(57)【特許請求の範囲】
【請求項１】
本体片に少なくとも振込票の体裁を整えた振込片が切り取り可能に連接された紙基材からなる帳票において、前記本体片の一方の面に秘匿情報を少なくとも有する情報層が設けられ、該情報層が設けられた面の該情報層を含む領域に所定形状の剥離層が設けられ、前記剥離層の所定形状内で前記情報層を含む領域に前記本体片と前記剥離層とをくり抜き可能としたカード部が設けられると共に、前記剥離層上に前記剥離層の所定形状と略同形状ないし前記剥離層の所定形状より大きく、かつ、前記剥離層の所定形状を包み込むように隠蔽層が形成されており、前記振込片の振込票の体裁を整えた面に前記秘匿情報と１対１に対応したオープン情報が設けられていることを特徴とするカード一体型帳票。
【請求項２】
前記オープン情報が前記秘匿情報を別の情報に置き換えた置換情報であることを特徴とする請求項１記載のカード一体型帳票。
【発明の詳細な説明】
【０００１】
【発明の属する技術分野】
本発明は、電話料金等に用いられるプリペイド方式のカードに関し、さらに詳しくは、製造から販売するときまでの間は金券扱い的管理が不要なプリペイド方式のカードとなるカード一体型帳票に関するものである。
【０００２】
【従来の技術】
従来、電話料金等に用いられるプリペイドカードは、たとえば、特開平１０−２３６０３８号公報に開示されているように、基材層の一方の面に第１印刷層を設けると共に他方の面に隠蔽層と第２印刷層を順に設け、その後前記第１印刷層を設けた面に、ノンインパクトプリンタ等を使用して、所定位置に秘匿情報であるところのカード番号をデータ出力により印字し、該印字面全面に、たとえば、２軸延伸ポリエチレンテレフタレートフィルムからなる透明樹脂層をウレタン系接着剤等により積層し、その後大判シートに断裁し、該大判シート状の前記カード番号印字部全体を覆うように易剥離性隠蔽層を設け、該易剥離性隠蔽層上に地紋印刷層と保護層を順に形成して後に、カード状に断裁されたものであり、多層構成からなると共に製造工程も複雑であり、高価なものとならざるを得ず、使い捨てカードとしてはコスト対効果において、コストパフォーマンスのないものであった。
【０００３】
この理由としては、この種のプリペイドカードは、使用者にお金と引換えに購入されるものであり、この種のプリペイドカードを購入した使用者は、秘匿情報であるカード番号を隠蔽した部分を爪や硬貨等で削り落としてカード番号を現出させ、このカード番号を用いて、電話等のサービスを受けることになり、電話料金等はこのカード番号で自動的に支払われることになる。そのために、秘匿情報としてプリペイドカードに隠蔽されたカード番号は、少なくともプリペイドカードが販売される時点ではすでに使用可能な状態であり、お金と同じ価値があるものである。そのため、購入されるまでは、容易にカード番号が第３者に判読できないようにする必要性から、上記のようなコストパフォーマンスのない（使い捨てカードとしては高価な）構成となっている。すなわち、上記のような製造方法は、カード番号を確実に隠蔽することと、隠蔽する加工の効率化に重点が置かれたものであり、結果としてプリペイドカード単体の形態での製造仕上がりを余儀なくされるため、使い捨てカードとしてコストパフォーマンスの高い、すなわち安価なプリペイドカードは望むべくもなかった。また、この種のプリペイドカードは上記したようにお金と同じ価値があるものであり、使用者に購入されるまでは、第３者に不正に使用されることがないように、お金と同じ管理（金券扱い的管理）が要求され、この管理も大層面倒なものであった。
【０００４】
また一方において、この種のプリペイドカードは、未だ知名度が低く、今後、色々な宣伝や広告などの販売活動を通して市場の拡大を図る必要があり、使用者がこの種のプリペイドカードを購入するまでは金券扱いの管理の必要がなく、宣伝や広告等と一体となった帳票（小冊子）として、店頭や各種の窓口にパンフレット同様に置くことができると共に、また、街頭で配付することができるプリペイドカードが要望されていた。
【０００５】
【発明が解決しようとする課題】
そこで本発明は、上記要望に鑑みてなされたものであり、その目的とするところは、製造から販売するときまでの間は金券扱い的管理が不要なプリペイドカードであって、かつ、宣伝や広告、取分けプリペイドカード購入用の振込票と一体となったプリペイド方式のカード一体型帳票を安価に提供することである。
【０００６】
【課題を解決するための手段】
本発明者は、上記のような問題点を解決するため、請求項１に記載の発明のカード一体型帳票は、本体片に少なくとも振込票の体裁を整えた振込片が切り取り可能に連接された紙基材からなる帳票において、前記本体片の一方の面に秘匿情報を少なくとも有する情報層が設けられ、該情報層が設けられた面の該情報層を含む領域に所定形状の剥離層が設けられ、前記剥離層の所定形状内で前記情報層を含む領域に前記本体片と前記剥離層とをくり抜き可能としたカード部が設けられると共に、前記剥離層上に前記剥離層の所定形状と略同形状ないし前記剥離層の所定形状より大きく、かつ、前記剥離層の所定形状を包み込むように隠蔽層が形成されていることを特徴とするものである。このように構成することにより、プリペイドカードを帳票と一体化することができると共に、プリペイドカードは、くり抜き可能とした紙基材からなるカード部で形成されるために、くり抜き加工や剥離層、被覆層を設けるなどのカードとするための加工を紙基材に施しても、従来のプリペイドカードに比べ構成が単純であり、工程も簡単であり、プリペイドカードを安価なものとすることができる。また、帳票に一体的に設けられたプリペイドカードは、該プリペイドカードに設けられた秘匿情報が第３者に知られても、振込片に設けられた振込票でプリペイドカードの代金が振り込まれない限りは、前記秘匿情報は数字、ないし、数字と記号の単なる組み合わせたものに過ぎず、プリペイドカードとしては全く機能しないために、製造時から使用者が振込票で金額を振り込み、振り込まれた側が振込を確認して登録処理をするまでは金券扱い的管理をする必要がなく、取り扱いもすこぶる容易である。そのために、店頭や各種の窓口にパンフレット同様に置くことができると共に、また、街頭で配付することができる。
【０００７】
さらに、請求項１に記載の発明は、前記振込片の振込票の体裁を整えた面に前記秘匿情報と１対１に対応したオープン情報が設けられていることを特徴とするものである。このように構成することにより、プリペイドカードの購入を振込用紙で申し込まれる度に、振込用紙に印刷されたオープン情報で振り込まれた側が登録処理をすることができるために便利である。
【０００８】
また、請求項２に記載の発明は、請求項１に記載するカード一体型帳票において、前記オープン情報が前記秘匿情報を別の情報に置き換えた置換情報であることを特徴とするものである。このように構成することにより、プリペイドカードに印刷された秘匿情報がプリペイドカード購入者以外には開示されないために一層、プリペイドカードのセキュリティを高めることができる。
【０００９】
【発明の実施の形態】
上記の本発明について、図面等を用いて以下に更に詳しく説明する。
図１は本発明のカード一体型帳票の第１の実施形態の表面を示す図、図２は図１を見開いた裏面図、図３は図２のＸーＸ線の断面図、図４は本体片からカード部を剥がしてプリペイドカードとしたときの図、図５は本発明のカード一体型帳票の第２の実施形態を示す要部断面図、図６は本発明のカード一体型帳票の第３の実施形態を示す図３に対応する断面図、図７は本発明のカード一体型帳票の第４の実施形態を示す図３に対応する断面図、図８は本発明のカード一体型帳票の第５の実施形態を示す図３に対応する断面図、図９は本発明のカード一体型帳票の第６の実施形態を示す図３に対応する断面図であり、図中の１はカード一体型帳票、２は本体片、３は振込片、４は利用説明片、６，６’は剥離層、７，７’，７''は隠蔽層、８は情報層、10は切り込み、20はカード名、21は表題、22はサービス名欄、31は振込原票片、32は取扱店控え票片、33は受領票片、40は秘匿情報、41は利用方法欄、51，52，53，54は切り取り用ミシン目、61，75は合成樹脂製透明フィルム層、62は接着層、63は離型層、71はコート紙、72はスミベタ印刷層、73はアンカーコート層、74はポリオレフィン系樹脂層、76はアルミ蒸着合成樹脂製フィルム層、80，81，82，83は積層体、Ａはカード部をそれぞれ示す。
【００１０】
まず、図１は本発明のカード一体型帳票の第１の実施形態の表面を示す図であって、カード一体型帳票１の本体片２の表面中央部には、このプリペイド方式のカードに対して一般大衆に目を向けさせるような「ＤＮＰコミュニカ新登場」なる表題21と、さらに興味を引かせるようなこのプリペイド方式のカードで受けることが可能な、たとえば、インターネット接続、インターネットショッピング、携帯電話、国際電話等といったサービス名を設けたサービス名欄22が設けられてこの帳票１の表面を形成している。また、この本体片２の上部（図１において上側）には、前記本体片２を形成する紙基材に略矩形状の切り込み10が形成され、該切り込み10により「ＤＮＰコミュニカ」なるカード名20が付されたプリペイド方式のカードとなるカード部Ａがくり抜き可能に形成されている。また、図１において前記本体片２の右端辺には、切り取り用ミシン目51が設けられ、該切り取り用ミシン目51を介して振込片３（図２参照）が切り取り可能に連接し、また、前記本体片２の左端辺には、切り取り用ミシン目52が設けられ、該切り取り用ミシン目52を介して利用説明片４（図２参照）が切り取り可能に連接している。図１は、前記振込片３（図２参照）と前記利用説明片４（図２参照）とを前記切り取り用ミシン目51、52で前記本体片２の裏面側に前記振込片３（図２参照）が前記本体片２と前記利用説明片４（図２参照）との間に位置するように三つ折りにされたものである。
【００１１】
図２は図１を見開いた裏面図であって、カード一体型帳票１は本体片２の左右端辺に設けた前記切り取り用ミシン目51、52を介して前記振込片３と前記利用説明片４とが切り取り可能に連接している。前記本体片２の上部（図２において上側）には、図１で示した本体片２を形成する紙基材に略矩形状の切り込み10でくり抜き可能に形成されたカード部Ａを包み込むように剥離層６（図３参照）と隠蔽層７とが順に設けられ、前記隠蔽層７は前記カードＡ内の前記剥離層６（図３参照）側の前記本体片２を形成する紙基材面に設けられた主に一定桁数の数字、ないし、数字と記号との組み合わせからなる秘匿情報40（図４参照）を少なくとも有する情報層８（図３参照）を隠蔽すると共に、カード部Ａが本体部２から抜け落ちることのないように保護している。また、前記振込片３には振込原票片31、取扱店控え票片32、受領票片33が切り取り用ミシン目53、54でそれぞれ分離可能に設けられると共に、各票片31、32、33には、支払人欄、受取人欄、受領日付印欄等がそれぞれ設けられて振込票の体裁を整えている。このように、振込片３の振込票の体裁を整えた面を本体片２の秘匿情報40（図４参照）を少なくとも有する情報層８面と同じ側に設けることにより、秘匿情報40（図４参照）と該秘匿情報40（図４参照）と１対１に対応した支払人欄の会員番号とを１工程で印字することができる。また、前記利用説明片４にはこのプリペイド方式のカードで受けることができる代表的なサービスの具体的な手順を記載した利用方法欄41等が設けられている。
【００１２】
図３は図２のＸーＸ線の断面図であって、紙基材からなる本体片２の一方の面に秘匿情報40（図４参照）を少なくとも有する情報層８が設けられ、他方の面に「ＤＮＰコミュニカ」なるカード名20が印刷により設けられている。そして、前記情報層８面に前記情報層８を含むように、コート紙71と、該コート紙71の一方の面にスミベタ印刷層72と、該スミベタ印刷層72上にアンカーコート層73とを設け、次に前記アンカーコート層73と、合成樹脂製透明フィルム層61との間にＴダイ押出機でポリエチレン等のポリオレフィン系樹脂を押し出したポリオレフィン系樹脂層74が設けられ、かつ、前記合成樹脂製透明フィルム層61の表出面に前記合成樹脂製透明フィルム層61と本体片２の紙基材に設けられた前記情報層８ないし紙基材とのいずれにも接着性を有する接着剤を周知の接着剤の中から適宜選択して接着層62を設けると共に略矩形状に断裁、あるいは、型抜きされた積層体80が貼着され、さらに前記本体片２側から前記積層体80の領域内で前記情報層８を含むように前記本体片２と前記接着層62と前記合成樹脂製透明フィルム層61とを貫通し、前記ポリオレフィン系樹脂層74を貫通しない略矩形状の切り込み10が形成されている。この場合、前記積層体80において、前記隠蔽層７は前記コート紙71と前記スミベタ印刷層72と前記アンカーコート層73と前記ポリオレフィン系樹脂層74であり、前記剥離層６は前記合成樹脂製透明フィルム層61と前記接着層62であり、前記切り込み10に沿って剥離することにより、前記ポリオレフィン系樹脂層74と前記合成樹脂製透明フィルム層61との間で剥離されて、前記本体片２からカードサイズのカード部Ａがくり抜きできるようになっている。また、くり抜かれたカード部Ａは本体片２の紙基材と前記合成樹脂製透明フィルム層61とが前記接着層62を介して貼着された構成からなり、前記合成樹脂製透明フィルム層61により補強されたものとなっている。また、前記スミベタ印刷層72により本体片２の一方の面に設けられた秘匿情報40（図４参照）は外側からは透視できないようになっている。
【００１３】
上記構成において、前記合成樹脂製透明フィルム層61としては、プロピレン系樹脂、塩化ビニル系樹脂、エステル系樹脂、アクリル系樹脂等の透明なプラスチックフィルムを用いることができ、また、必要に応じてコロナ放電処理が少なくとも一方の面に施されたものを用いてもよく、その厚さは10〜50μｍ程度が適当である。また、前記ポリオレフィン系樹脂層74の厚さとしては13〜30μｍ程度が適当である。また、前記ポリオレフィン系樹脂層74をカーボンブラックでスミ色に着色した層とすることにより、一層秘匿情報40（図４参照）の隠蔽性を高めることができる。また、前記接着層62としては、天然ゴムラテックス、合成ゴムラテックス等の従来から普通に感圧接着剤に用いられるものの中から適宜選んで用いることができ、必要に応じて増粘剤、分散剤、消泡剤、帯電防止剤、防腐剤等の添加剤を加えてもよく、ロールコート法等の周知の塗工法で塗工することにより形成することができ、ドライ時の塗工量としては５〜20ｇ／ｍ2 が適当である。
【００１４】
ところで、前記合成樹脂製透明フィルム層61としては、上記した樹脂からなるフィルムに限ることはなく、図３においては、前記アンカーコート層73と前記合成樹脂製透明フィルム層61との間にＴダイ押出機でポリエチレン等のポリオレフィン系樹脂を押し出してポリオレフィン系樹脂層74を設け、さらに、前記合成樹脂製透明フィルム層61の表出面に前記接着層62を設けた構成としたが、これにかえて、たとえば、図示はしないが、前記アンカーコート層73上にＴダイ押出機でポリエチレン等のポリオレフィン系樹脂を押し出してポリオレフィン系樹脂層74を設けて後に、該ポリオレフィン系樹脂層74上に前記合成樹脂製透明フィルム層61を形成したフィルムに用いることができる上記の樹脂をＴダイ押出機で押し出して形成した、あるいは、溶液化してロールコート法、グラビア印刷法等の周知の塗工法で形成した合成樹脂製透明フィルム層61であってもよく、このようにして形成した合成樹脂製透明フィルム層61の表出面に前記接着層62を設けた構成としてもよい。
【００１５】
図４は本体片からカード部を剥がしてプリペイドカードとしたときの図であって、カード部Ａの隠蔽面には、このプリペイドカード固有の秘匿情報40であるＩＤ番号が付されている。このプリペイドカード購入者は、このカード固有の秘匿情報40であるＩＤ番号をキーとして用いることにより、たとえば、インターネット接続、インターネットショッピング、携帯電話、国際電話等といったこのカードで可能な各種サービスを受けることができる。
【００１６】
次に、このプリペイドカードの販売から使用するまでの手順について図１〜図４を使って具体的に説明する。
まず、図１に示すように三つ折りにされたプリペイド方式のカード一体型帳票１を、街頭で配付されることにより入手したり、あるいは、コンビニエンスストア（ＣＶＳ）等の店頭にパンフレット同様におかれた陳列棚等から入手し、興味をそそられてこのプリペイド方式のカードの購入を希望する購入者は、たとえば、図２に示すように、振込片３に設けられた会員番号が「９８７６５４３２１」なる振込票をカード一体型帳票１から切り取り用ミシン目51で切り取って３０００円を添えてコンビニエンスストアで振り込み手続きをする。コンビニエンスストア側では、振込片３の振込原票片31、取扱店控え票片32、受領票片33の受領日付印欄に押印して受領票片33を切り取り用ミシン目54で切り取って購入者に返却する。さらに、コンビニエンスストア側では、取扱店控え票片32を切り取り用ミシン目53で切り取って取扱店控えとして保管すると共に、振込片３に設けられた会員番号「９８７６５４３２１」を「（株）ＤＮＰコミュニケーションズ」なる受取人に通知する。受取人側では、この通知により会員番号「９８７６５４３２１」なるプリペイドカードが購入されたことを認知して、この会員番号「９８７６５４３２１」のプリペイドカード購入者がこの会員番号「９８７６５４３２１」のプリペイドカードを使用できるように登録処置をする。このように登録処置されて始めてこの会員番号「９８７６５４３２１」のプリペイドカードは使用可能な状態、すなわち、金券となる。通常、振込手続きをしてからプリペイドカードが使用可能な状態になるまでの時間は２０分程度である。
【００１７】
プリペイドカード購入者は、カード一体型帳票１の本体片２から図３に示す剥離層６と隠蔽層７の間で切り込み10に沿ってカード部Ａを剥離してプリペイドカードとして保持する。そして、このプリペイドカードを使用して、たとえば、国際電話をかける場合、図４に示すようにこのプリペイドカード固有の秘匿情報40であるＩＤ番号「１２３４５６７８９」をキーとして用いることにより３０００円相当分の国際電話をかけることができる。このように、プリペイドカード固有の秘匿情報40であるＩＤ番号「１２３４５６７８９」と会員番号「９８７６５４３２１」（オープン情報）とは、１対１に対応した置換情報となっており、プリペイドカード固有の秘匿情報40であるＩＤ番号「１２３４５６７８９」はプリペイドカード購入者固有のものとすることができ、第３者に不正に使用されることがない。また、このカード一体型帳票１は、振込票で所定金額が振り込まれて、上記したようにプリペイドカードが使用できるように登録処置されるまでは、ただ単なるカードにすぎないために、金券扱い的管理が不要であり、各種店頭や窓口等にパンフレット同様に自由におくことができ、また、販売促進の目的で街頭等で配付することもできる。また、プリペイドカードは紙基材からなるために安価である。
【００１８】
図５は本発明のカード一体型帳票の第２の実施形態を示す要部断面図であって、図３で示した前記積層体80においては、前記隠蔽層７と前記剥離層６との剥離界面は前記ポリオレフィン系樹脂層74と前記合成樹脂製透明フィルム層61との層間となっているが、この層間に、たとえば、ドライ時に0.5 〜1.0g／m2となるようにシリコーンを塗工した離型層63を設けた積層体81とすることにより、剥離界面は前記ポリオレフィン系樹脂層74と前記離型層63との層間となり一層スムーズな剥離界面を得ることができる。
【００１９】
図６は本発明のカード一体型帳票の第３の実施形態を示す図３に対応する断面図であって、積層体82は図３に示した積層体80の前記スミベタ印刷層72と前記アンカーコート層73との層間に合成樹脂製透明フィルム層75を設けた以外は前記積層体80と同じであって説明は省略するが、前記合成樹脂製透明フィルム層75としては前記合成樹脂製透明フィルム層61で説明したものと同じ透明なプラスチックフィルムを用いることができるし、また、必要に応じてカーボンブラックで着色したものを用いて、秘匿情報40（図４参照）を有する情報層８の隠蔽性を高めてもよいし、また、この場合は前記スミベタ印刷層72を設けない構成とすることも可能である。また、前記合成樹脂製透明フィルム層75を設ける方法としては、たとえば、コート紙71に印刷を施すことにより設けられたスミベタ印刷層72と前記合成樹脂製透明フィルム層75とを周知のドライラミネーション用接着剤を用いてドライラミネーションすることにより設けることができる。この場合、前記合成樹脂製透明フィルム層75を形成するプラスチックフィルムは両面にコロナ放電処理が施されているものが適当である。
【００２０】
図７は本発明のカード一体型帳票の第４の実施形態を示す図３に対応する断面図であって、積層体83は図３に示した積層体80の前記スミベタ印刷層72にかえて一方の面にアルミ蒸着が施した合成樹脂製フィルム層76を設けた以外は前記積層体80と同じであって説明は省略するが、アルミ蒸着を施こす合成樹脂製フィルムとしては、前記合成樹脂製透明フィルム層61で説明したものと同じ透明なプラスチックフィルムを用いることができ、また、アルミ蒸着合成樹脂製フィルム層76を設ける方法としては、たとえば、コート紙71の一方の面と前記アルミ蒸着合成樹脂製フィルム層76のアルミ蒸着面とを周知のドライラミネーション用接着剤を用いてドライラミネーションすることにより設けることができる。この場合、前記合成樹脂製フィルム層76の非蒸着面はコロナ放電処理が施されているものが適当である。このようにアルミ蒸着層を設けることにより、スミベタ印刷層72と同様に、秘匿情報40（図５参照）を有する情報層８を外側から見えないように隠蔽することができる。なお、図６に示した第３の実施形態の合成樹脂製透明フィルム層75にかえて、図７で用いたアルミ蒸着合成樹脂製フィルム層76を設けた構成とすることにより、第３の実施形態は一層隠蔽性の高いものとなる。
【００２１】
図８は本発明のカード一体型帳票の第５の実施形態を示す図３に対応する断面図であって、前記本体片２の情報層８面に該情報層８を含む大きさの略矩形状の剥離層６’を、たとえば、オフセット用ＵＶインキのＯＰニスを印刷することにより形成、あるいは、シリコーンが添加されたオフセット用印刷インキのメジュームを印刷することにより形成し、前記剥離層６’より大きく、かつ、前記剥離層６’を包み込む大きさの略矩形状に断裁、あるいは、型抜きされた隠蔽層７’が貼着され、前記本体片２側から前記情報層８を含むように前記本体片２と前記剥離層６’とを貫通し、前記隠蔽層７’を貫通しない略矩形状の切り込み10が形成されている。この切り込み10により前記本体片２からカード部Ａがくり抜きできるようになっている。
【００２２】
前記隠蔽層７’はコート紙71の一方の面にスミベタ印刷層72が設けられ、該スミベタ印刷層72面にアンカーコート剤を塗工してアンカーコート層73を形成し、該アンカーコート層73上にＴダイ押出機でポリエチレン等のポリオレフィン系樹脂層74が押し出し塗工され、該ポリオレフィン系樹脂層74上に前記接着層62が設けられた構成からなっている。前記切り込み10により前記本体片２からカード部Ａをくり抜くと、前記接着層62と前記剥離層６’との層間で剥離され、剥離された前記カード部Ａの隠蔽面は、たとえば、オフセット用ＵＶインキのＯＰニスで保護された形となっている。
【００２３】
図９は本発明のカード一体型帳票の第６の実施形態を示す図３に対応する断面図であって、図８で示した第５の実施形態の隠蔽層７’がコート紙71の一方の面と、一方の面にアルミ蒸着を施すと共に他方の面にコロナ放電処理を施した合成樹脂製フィルムからなる前記アルミ蒸着合成樹脂製フィルム層76のアルミ蒸着面とを、たとえば、周知のドライラミネーション用接着剤を用いてドライラミネーションすることにより積層され、コロナ放電処理を施した面に前記接着層62を設けた構成からなる隠蔽層７''からなる以外は第５の実施形態と同じであり説明は省略する。
【００２４】
ところで、今までの説明において、隠蔽層の外側の構成材をコート紙ということで進めてきたが、合成紙であってもよく、また、これらは着色された着色紙であってもよいし、当然、該コート紙等の表出面に印刷を施したものであってもよい。また、本発明のカード一体型帳票の本体片２、振込片３、利用説明片４において説明をしなかった各面には、たとえば、プリペイドカードで利用可能な各種サービスを記載した「例えばこのようなサービスが受けられます」欄や、カード残高を知る方法やカード残高が少なくなった場合の対処方法などを記載した「例えばこんな時には？」欄、あるいは、プリペイドカード購入者が振込する場合に注意しなければならない事項を記載した「ご注意」欄や振込可能な店名を記載した「お支払場所」欄等が通常設けられている。
【００２５】
また、今まで縷々説明した本発明のカード一体型帳票の実施形態は、代表的な実施例を示したものであって、これに限ることはなく、特許請求の範囲に記載したように、本体片に少なくとも振込票の体裁を整えた振込片が切り取り可能に連接された紙基材からなり、前記本体片の一方の面に主に一定桁数の数字、ないし、数字と記号との組み合わせからなる秘匿情報を少なくとも有する情報層が設けられ、該情報層が設けられた面の該情報層を含む領域に所定形状の剥離層が設けられ、前記剥離層の所定形状内で前記情報層を含む領域に前記本体片と前記剥離層とをくり抜き可能としたカード部が設けられると共に、前記剥離層上に前記剥離層の所定形状と略同形状ないし前記剥離層の所定形状より大きく、かつ、前記剥離層の所定形状を包み込むように隠蔽層が形成されている構成はすべて本発明に属するものである。
【００２６】
【発明の効果】
本発明のカード一体型帳票は、プリペイドカード購入者がカード一体型帳票に組み込まれた振込票で所定金額を振込と共に、振込票に記載された会員番号が登録処理されるまでは、ただ単なるカードにすぎないために、金券扱いの管理の必要がなく、宣伝や広告等と一体となった帳票（小冊子）として、店頭や各種の窓口にパンフレット同様に置くことができると共に、また、街頭で配付することができるという効果を奏するものである。また、本発明のカード一体型帳票に組み込まれたプリペイドカードは紙基材からなるものであり、使い捨てカードとして従来のプリペイドカードに比べて極めてコストパフォーマンスに優れたカードである。
【図面の簡単な説明】
【図１】本発明のカード一体型帳票の第１の実施形態の表面を示す図である。
【図２】図１を見開いた裏面図である。
【図３】図２のＸーＸ線の断面図である。
【図４】本体片からカード部を剥がしてプリペイドカードとしたときの図である。
【図５】本発明のカード一体型帳票の第２の実施形態を示す要部断面図である。
【図６】本発明のカード一体型帳票の第３の実施形態を示す図３に対応する断面図である。
【図７】本発明のカード一体型帳票の第４の実施形態を示す図３に対応する断面図である。
【図８】本発明のカード一体型帳票の第５の実施形態を示す図３に対応する断面図である。
【図９】本発明のカード一体型帳票の第６の実施形態を示す図３に対応する断面図である。
【符号の説明】
１                    カード一体型帳票
２                    本体片
３                    振込片
４                    利用説明片
６，６’              剥離層
７，７’，７''        隠蔽層
８                    情報層
10                    切り込み
20                    カード名
21                    表題
22                    サービス名欄
31                    振込原票片
32                    取扱店控え票片
33                    受領票片
40                    秘匿情報
41                    利用方法欄
51，52，53，54        切り取り用ミシン目
61，75                合成樹脂製透明フィルム層
62                    接着層
63                    離型層
71                    コート紙
72                    スミベタ印刷層
73                    アンカーコート層
74                    ポリオレフィン系樹脂層
76                    アルミ蒸着合成樹脂製フィルム層
80，81，82，83        積層体
Ａ                    カード部
【図１】
0004170521.tif 000002
【図２】
0004170521.tif 000003
【図３】
0004170521.tif 000004
【図４】
0004170521.tif 000005
【図５】
0004170521.tif 000006
【図６】
0004170521.tif 000007
【図７】
0004170521.tif 000008
【図８】
0004170521.tif 000009
【図９】
0004170521.tif 000010